(57)【要約】【課題】バイオセンサを有するセンサユニットの取り外し時の安全性をより高めることのできるセンサ取付構造及び計測表示器を提供する。【解決手段】センサ取付構造１０を、センサユニット１６を計測可能な状態で保持するように本体先端部１８に固定された保持手段２０と、保持手段２０に保持されたセンサユニット１６をスライドさせて保持手段２０から離脱させる離脱手段２２とを備えて構成した。また、計測表示器１２を、このセンサ取付構造１０を先端に備えて構成した。【選択図】  図１
2005043116.tif 000002
【特許請求の範囲】
【請求項１】
バイオセンサを有するセンサユニットを計測可能な状態に取り付ける計測表示器のセンサ取付構造であり、
前記センサユニットを計測可能な状態で保持する保持手段と、
前記保持手段に保持されたセンサユニットを該保持手段から離脱させる離脱手段と、
を備えたセンサ取付構造。
【請求項２】
前記保持手段が、前記センサユニットを挿入して保持する中空部を備え、
前記離脱手段が、該センサユニットの挿入方向と逆方向にスライドするスライダーと、該スライダーと共にスライドすることにより該センサユニットを押し出す押圧部材とを備えた請求項１に記載するセンサ取付構造。
【請求項３】
前記中空部内において前記計測表示器の表面側又は裏面側のいずれか一方に前記センサユニットの挿入を検知する挿入検知手段を備えた請求項２に記載するセンサ取付構造。
【請求項４】
前記保持手段が、前記センサユニットに係合される係合部材を備えた請求項１乃至請求項３のいずれかに記載するセンサ取付構造。
【請求項５】
請求項１乃至請求項４のいずれかに記載するセンサ取付構造を含む計測表示器。
【発明の詳細な説明】
【０００１】
【発明の属する技術分野】
本発明は、バイオセンサを有するセンサユニットを取り付けるためのセンサ取付構造、及びそのセンサ取付構造を利用した計測表示器に関する。
【０００２】
【従来の技術】
従来から、バイオセンサによる血糖値等の計測値を算出して表示する計測表示器が使用されている（例えば、特許文献１及び特許文献２参照。）。この計測表示器によれば、バイオセンサを計測表示器に取り付けて検体を取り込み、血糖値等を算出して表示することにより、血糖値等を認識できる。しかし、計測表示器は、人間の血液等を検体とする物であるため、より安全性を高めることが望まれていた。
【０００３】
【特許文献１】
特公平８−１０２０８号公報
【特許文献２】
特開平１０−１９８８８号公報
【０００４】
【発明が解決しようとする課題】
そこで、本発明者は、このような課題の原因を究明してこのような課題を解決するべく、鋭意研究を重ねた結果、本発明に至ったのである。
【０００５】
すなわち、本発明は、バイオセンサに使用する計測表示器の安全性を高めることのできるセンサ取付構造、及び計測表示器を提供することを目的とする。
【０００６】
【課題を解決するための手段】
本発明のセンサ取付構造は、バイオセンサを有するセンサユニットを計測可能な状態に取り付ける計測表示器のセンサ取付構造であり、前記センサユニットを計測可能な状態で保持する保持手段と、前記保持手段に保持されたセンサユニットを該保持手段から離脱させる離脱手段と、を備えたことを特徴とする。本明細書において、センサユニットとは、バイオセンサを有し、バイオセンサによる計測可能な状態に計測表示器へ取り付け得るユニットである。
【０００７】
また、本発明のセンサ取付構造は、前記センサ取付構造において、前記保持手段が、前記センサユニットを挿入して保持する中空部を備え、前記離脱手段が、該センサユニットの挿入方向と逆方向にスライドするスライダーと、該スライダーと共にスライドすることにより該センサユニットを押し出す押圧部材とを備えたことを特徴とする。
【０００８】
また、本発明のセンサ取付構造は、前記センサ取付構造において、前記中空部内において前記計測表示器の表面側又は裏面側のいずれか一方に前記センサユニットの挿入を検知する挿入検知手段を備えたことを特徴とする。
【０００９】
また、本発明のセンサ取付構造は、前記センサ取付構造において、前記保持手段が、前記センサユニットに係合される係合部材を備えたことを特徴とする。
【００１０】
また、本発明の計測表示器は、前記センサ取付構造を含むことを特徴とする。
【００１１】
【発明の実施の形態】
次に、本発明に係るセンサ取付構造、及び計測表示器の実施の形態について、図面に基づいて詳しく説明する。
【００１２】
図１において、符号１０は本発明のセンサ取付構造であり、符号１２は本発明の計測表示器である。計測表示器１２は、バイオセンサ１４を有するセンサユニット１６を計測可能な状態に取り付けて血糖値を算出表示する装置であり、本体先端部１８にセンサ取付構造１０を備えている。
【００１３】
センサ取付構造１０は、センサユニット１６を計測可能な状態で保持するように本体先端部１８に固定された保持手段２０と、保持手段２０に保持されたセンサユニット１６をスライドさせて保持手段２０から離脱させる離脱手段２２とを備えている。
【００１４】
保持手段２０は、図１に示すように、センサユニット１６を挿入して保持する中空部２４を備えている。中空部２４は、図２（ａ）に示すように、本体先端部１８に固定されたソケット２６及び本体先端部１８にスライド可能に取り付けられたスライド金具２８によって略四角形断面を有する形状に構成される。すなわち、図３に示すソケット２６によって略四角形断面の上辺及び下辺が構成され、図４に示すスライド金具２８によって略四角形断面の側辺が構成される。なお、ソケット２６のコの字形状の内面には２個の端子２９が設けられている。
【００１５】
また、保持手段２０は、図１に示すように、センサユニット１６に係合される２本の片持ち梁（係合部材）４２を備えている。片持ち梁４２は、弾性部材から成り、弾性的に変形しつつセンサユニット１６の係合突起部４４に係合されるように構成されている。片持ち梁４２は、図２（ｂ）に示すように、一方端４６が本体先端部１８に固定された固定支持であると共に、他方端４８は本体先端部１８の穴５０内に位置する自由端である。
【００１６】
離脱手段２２は、センサユニット１６の挿入方向と逆方向にバネ５２の付勢力に抗してスライドする図５に示すスライダー３０と、スライダー３０と共に一体的にスライドすることによりセンサユニット１６を押し出す図４に示すスライド金具（押圧部材）２８とから構成される。スライダー３０には、指を押し当ててスライドさせるための湾曲面３４が設けられている。スライド金具２８は、一対の押出部材３６によりセンサユニット１６を押し出すことができるように構成されている。
【００１７】
また、本体先端部１８のＰ盤３８上には、センサユニット１６の挿入を検知するＬＳ（リミットスイッチ、挿入検知手段）４０を備えている。すなわち、中空部２４内において計測表示器１２の裏面側にＬＳ４０を備えている。
【００１８】
このようなセンサ取付構造１０及び計測表示器１２の作用について以下に説明する。
【００１９】
このセンサ取付構造１０を含む計測表示器１２を使用して血糖値の検査を行う者は、まず、バイオセンサ１４を有するセンサユニット１６を準備する。センサユニット１６は、計測表示器１２に計測可能な状態に取り付けることができる物であれば特に限定されない。本実施形態においては、センサユニットの一例として、図６に示すようにバイオセンサ１４をセンサカバー８０に挿入してセンサキャップ８２を取り付けることにより、バイオセンサ１４を被覆するように構成したセンサユニット１６を使用する場合について説明する。
【００２０】
次に、このセンサユニット１６を保持し、図７及び図８に示すように、センサユニット１６を計測表示器１２の中空部２４に挿入する。この時、図７（ｂ）に示すように、センサユニット１６の係合突起部４４が片持ち梁４２に係合されることにより、センサユニット１６が中空部２４に位置決め固定される。また、図８（ｂ）に示すように、センサユニット１６の裏面の凸部６０がＬＳ４０を押圧、又はＬＳ４０に接触若しくは接近することにより、ＬＳ４０はセンサユニット１６が位置決め固定されたことを検知する。センサユニット１６が位置決め固定されたことは、図示しない表示手段により表示される。血糖値の検査を行う者は、この表示により、センサユニット１６が位置決め固定されたことを認識できる。また、センサユニット１６の裏面の凸部６０によってＬＳ４０が反応する構成であるため、裏表を誤認せずにセンサユニット１６が正常に位置決め固定されたことを認識できる。
【００２１】
次に、検査を行う者は、図９に示すように、指６４に針で穴を開けて検体である血液６６を出す。一方で、センサユニット１６を取り付けた計測表示器１２を手で保持し、センサキャップ８２を取り外し、バイオセンサ１４の流入部６８を血液６６に接触させる。流入部６８に接触した血液６６は、毛細管現象によって検体保留部７０に流入する。計測表示器１２は、端子２９を介して血液６６の血糖値を計測し、一定時間後に表示する。
【００２２】
このようにして血糖値の計測が終了すると、再びセンサキャップ８２をセンサユニット１６に取り付け、スライダー３０を指で押圧して、図１０（ａ）に示すように、スライダー３０をバネ５２の付勢力に抗してスライドさせる。スライダー３０をスライドさせることにより、スライド金具２８が一体的にスライドし、スライド金具２８の一対の押出部材３６がセンサユニット１６を挟持しつつ押し出す。押出部材３６がセンサユニット１６を押し出すことにより、図１０（ｂ）に示すように、センサユニット１６が中空部２４から離脱し、センサユニット１６は計測表示器１２から取り外される。
【００２３】
以上、本発明の実施形態について図面に基づいて説明したが、本発明は図示したものには限定されない。例えば、離脱手段は、手動で離脱させるものには限定されず、弾性体の付勢力や駆動手段の駆動力によって離脱させるものであっても良い。また、本発明の計測表示器の形状は特に限定されず、本発明のセンサ取付構造を含むものであれば良い。また、本発明の用途は、血糖値の検査に限定されず、広く、医学的、生物学的、化学的な検査又は試験等であっても良い。また、血糖値以外の血液検査であっても良い。
【００２４】
その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【００２５】
【発明の効果】
本発明のセンサ取付構造及び計測表示器によれば、血糖値等の測定後は、離脱手段によりセンサユニットを計測表示器から取り外すことができる。このため、検査をする者がセンサユニットに触れることなくセンサユニットを取り外すことができ、肝炎等のウイルス性の疾病の感染を防止できる。
【００２６】
また、離脱手段がスライダーと押圧部材とを備えた本発明のセンサ取付構造及び計測表示器によれば、スライド機構によってスムーズにセンサユニットを離脱させることができる。また、手動によりセンサユニットをスライドさせる機構であるため、コンパクトに構成できる。
【００２７】
また、挿入検知手段を備えた本発明のセンサ取付構造及び計測表示器によれば、血糖値の検査を行う者は、センサユニットが位置決め固定されたことを認識できる。また、センサユニットの表面又は裏面の凸部によって挿入検知手段が反応する構成であるため、裏表を誤認せずにセンサユニットが正常に位置決め固定されたことを認識できる。このため、確実にバイオセンサによる計測作業を行うことができる。
【００２８】
また、センサユニットに係合される係合部材を備えた本発明のセンサ取付構造及び計測表示器によれば、係合部材がセンサユニットに係合された状態でセンサユニットをセンサ取付構造に取り付けることにより、センサユニットを確実に位置決め固定できる。また、計測作業時にセンサユニットがセンサ取付構造から外れ落ちるのを防止できる。
【図面の簡単な説明】
【図１】本発明のセンサ取付構造及び計測表示器を示す図であり、同図（ａ）は正面断面図であり、同図（ｂ）は平面である。
【図２】図１のセンサ取付構造及び計測表示器の保持手段及び離脱手段を示す図であり、同図（ａ）は構成部品の配置を示す構成図であり、同図（ｂ）は保持手段の片持ち梁（係合部材）を示す部分側面図である。
【図３】図１センサ取付構造及び計測表示器の保持手段のソケットを示す図であり、同図（ａ）は平面図であり、同図（ｂ）は正面図であり、同図（ｃ）は右側面図であり、同図（ｄ）は左側面図である。
【図４】図１センサ取付構造及び計測表示器の離脱手段のスライド金具を示す図であり、同図（ａ）は平面図であり、同図（ｂ）は正面図であり、同図（ｃ）は左側面図である。
【図５】図１センサ取付構造及び計測表示器の離脱手段のスライダーを示す図であり、同図（ａ）は正面図であり、同図（ｂ）は平面図であり、同図（ｃ）は左側面図である。
【図６】図１センサ取付構造及び計測表示器の作用を説明するためのセンサユニットの図であり、同図（ａ）は背面図であり、同図（ｂ）は平面図である。
【図７】図１センサ取付構造及び計測表示器の作用を説明するための図であり、同図（ａ）はセンサユニットをセンサ取付構造へ挿入する状態を示す平面図であり、同図（ｂ）はセンサユニットをセンサ取付構造へ挿入した状態を示す平面図である。
【図８】図１センサ取付構造及び計測表示器の作用を説明するための図であり、同図（ａ）はセンサユニットをセンサ取付構造へ挿入する状態を示す正面断面図であり、同図（ｂ）はセンサユニットをセンサ取付構造へ挿入した状態を示す正面断面図である。
【図９】図１センサ取付構造及び計測表示器の作用を説明するための正面図である。
【図１０】図１センサ取付構造及び計測表示器の作用を説明するための図であり、同図（ａ）はセンサユニットをセンサ取付構造から取り外す状態を示す正面断面図であり、同図（ｂ）はセンサユニットをセンサ取付構造から取り外した状態を示す正面断面図である。
【符号の説明】
１０：センサ取付構造
１２：計測表示器
１４：バイオセンサ
１６：センサユニット
１８：本体先端部
２０：保持手段
２２：離脱手段
２４：中空部
２６：ソケット
２８：スライド金具
２９：電極
３０：スライダー
４０：ＬＳ（挿入検知手段）
４２：片持ち梁（係合部材）
４４：係合突起部
６０：凸部
８０：センサカバー
８２：センサキャップ
【図１】
2005043116.tif 000003
【図２】
2005043116.tif 000004
【図３】
2005043116.tif 000005
【図４】
2005043116.tif 000006
【図５】
2005043116.tif 000007
【図６】
2005043116.tif 000008
【図７】
2005043116.tif 000009
【図８】
2005043116.tif 000010
【図９】
2005043116.tif 000011
【図１０】
2005043116.tif 000012